(57)【要約】【課題】  エネルギーの増加を抑えながら空調環境を快適化することができるエリア別空調制御システム、エリア別空調制御方法及びエリア別空調制御プログラムを提供する。【解決手段】  エリア別空調制御システム１は、空気調和装置を制御する。エリア別空調制御システム１は、エリア情報入力部１１と、制御部１２とを備える。空気調和装置は、１以上の空調室内機７１等を有する。空調室内機７１等は、複数のエリアに対する共通の空調環境提供手段として配備される。エリア情報入力部１１には、エリア情報が入力される。エリア情報は、エリアの空調環境に関する情報である。制御部１２は、エリア情報に基づいて、空調室内機７１等が提供する空調空気の風向、空調室内機７１等が提供する空調空気の風量及び空調室内機７１等が提供する空調空気の温度の少なくとも２つ以上について優先順位を付けて、エリアそれぞれに対して空調環境を提供する。【選択図】      図１
2005134021.tif 000002
【特許請求の範囲】
【請求項１】
複数のエリアに対する共通の空調環境提供手段として配備される１以上の空調室内機（７１，７２，・・・）を有する空気調和装置を制御するエリア別空調制御システム（１，１００，２００，３００）であって、
前記エリアの空調環境に関する情報であるエリア情報が入力されるエリア情報入力部（１１）と、
前記エリア情報に基づいて、前記空調室内機（７１，７２，・・・）が提供する空調空気の風向、前記空調室内機（７１，７２，・・・）が提供する空調空気の風量及び前記空調室内機（７１，７２，・・・）が提供する空調空気の温度の少なくとも２つ以上について優先順位を付けて、前記エリアそれぞれに対して空調環境を提供する制御部（１２，１１２，２１２，３１２）と、
を備えた、
エリア別空調制御システム（１，１００，２００，３００）。
【請求項２】
前記制御部（１２，１１２，２１２，３１２）は、前記エリア情報に基づいて、前記空気調和装置の消費するエネルギーの増加する方向に前記エリアそれぞれに対して空調環境を提供するときは、前記風向、前記風量及び前記温度の順番に優先順位を付ける、
請求項１に記載のエリア別空調制御システム（１，１００，２００，３００）。
【請求項３】
前記制御部（１２，１１２，２１２，３１２）は、前記エリア情報に基づいて、前記空気調和装置の消費するエネルギーの減少する方向に前記エリアそれぞれに対して空調環境を提供するときは、前記温度、前記風量及び前記風向の順番に優先順位を付ける、
請求項１に記載のエリア別空調制御システム（１，１００，２００，３００）。
【請求項４】
前記エリア情報は、前記エリアに属する個人及び団体の少なくとも一方の温熱感覚に関する情報を含み、
前記温熱感覚に関する情報に基づいて、前記エリアに属する個人及び団体の少なくとも一方において空調環境に対して不満を感じている個人及び団体の少なくとも一方の割合である不満者率を演算する演算部（１３）をさらに備えた、
請求項１に記載のエリア別空調制御システム（１，１００，２００，３００）。
【請求項５】
前記制御部（１２，１１２，２１２，３１２）は、前記不満者率が所定値以下になるように、前記エリアそれぞれに対して空調環境を提供する、
請求項４に記載のエリア別空調制御システム（１，１００，２００，３００）。
【請求項６】
室内における前記エリアそれぞれの位置を記憶するエリア位置記憶部（１１４，２１４）をさらに備えた、
請求項１から５のいずれかに記載のエリア別空調制御システム（１，１００，２００，３００）。
【請求項７】
前記エリア位置記憶部（１１４，２１４）は、前記温熱感覚に関する情報と前記エリアそれぞれの位置とを関連づけて記憶し、
前記制御部（１２，１１２，２１２，３１２）は、前記空調室内機（７１，７２，・・・）が提供する空調空気の風向、前記空調室内機（７１，７２，・・・）が提供する空調空気の風量及び前記空調室内機（７１，７２，・・・）が提供する空調空気の温度の少なくもと１つを変えることで室内における気流を制御する、
請求項６に記載のエリア別空調制御システム（１，１００，２００，３００）。
【請求項８】
前記エリア情報は、前記エリアに属する個人及び団体の少なくとも一方の不在に関する情報をさらに含み、
前記エリア位置記憶部（１１４，２１４）は、前記不在に関する情報と前記エリアそれぞれの位置とを関連づけてさらに記憶している、
請求項６又は７に記載のエリア別空調制御システム（１，１００，２００，３００）。
【請求項９】
前記空調室内機（７１，７２，・・・）が提供する空調空気の風向、前記空調室内機（７１，７２，・・・）が提供する空調空気の風量及び前記空調室内機（７１，７２，・・・）が提供する空調空気の温度の少なくとも２つ以上が、前記空気調和装置の消費するエネルギーへ影響する度合いである影響度合いを記憶する影響度合い記憶部（１５）をさらに備えた、
請求項１から８のいずれかに記載のエリア別空調制御システム（１，１００，２００，３００）。
【請求項１０】
前記エリア情報を検知する検知部（２２１ｂ，２２２ｂ，・・・）をさらに備えた、
請求項１から９のいずれかに記載のエリア別空調制御システム（１，１００，２００，３００）。
【請求項１１】
前記空調室内機（７１，７２，・・・）が提供する空調空気の風向、前記空調室内機（７１，７２，・・・）が提供する空調空気の風量及び前記空調室内機（７１，７２，・・・）が提供する空調空気の温度の少なくとも２つ以上を測定する測定部（３６１ｂ，３６２ｂ，・・・）と、
前記測定部（３６１ｂ，３６２ｂ，・・・）が測定した値と前記不満者率との相関関係を記憶する相関関係記憶部（３１８）と、
をさらに備えた、
請求項４から１０のいずれかに記載のエリア別空調制御システム（１，１００，２００，３００）。
【請求項１２】
前記相関関係記憶部（３１８）は、前記優先順位毎に、前記測定部（３６１ｂ，３６２ｂ，・・・）が測定した値と前記不満者率との相関関係を記憶する、
請求項１１に記載のエリア別空調制御システム（１，１００，２００，３００）。
【請求項１３】
前記相関関係記憶部（３１８）は、前記エリア位置記憶部（１１４，２１４）に記憶されている前記不在に関する情報と前記エリアとの関連づけのパターン毎に、前記測定部（３６１ｂ，３６２ｂ，・・・）が測定した値と前記不満者率との相関関係を記憶している、
請求項１１又は１２に記載のエリア別空調制御システム（１，１００，２００，３００）。
【請求項１４】
前記エリア情報は、それぞれの前記エリアにおいて要求される空調環境の情報である要求環境情報をさらに含む、
請求項１から１３のいずれかに記載のエリア別空調制御システム（１，１００，２００，３００）。
【請求項１５】
複数のエリアに対する共通の空調環境提供手段として配備される１以上の空調室内機（７１，７２，・・・）を有する空気調和装置が制御されるエリア別空調制御方法であって、
前記エリアの空調環境に関する情報であるエリア情報が入力されるエリア情報入力ステップと、
前記エリア情報に基づいて、前記空調室内機（７１，７２，・・・）が提供する空調空気の風向、前記空調室内機（７１，７２，・・・）が提供する空調空気の風量及び前記空調室内機（７１，７２，・・・）が提供する空調空気の温度の少なくとも２つ以上について優先順位が付けられて、前記エリアそれぞれに対して空調環境が提供される制御ステップと、
を備えた、
エリア別空調制御方法。
【請求項１６】
複数のエリアに対する共通の空調環境提供手段として配備される１以上の空調室内機（７１，７２，・・・）を有する空気調和装置を空調管理装置（１０，１１０，２１０，３１０）に制御させるエリア別空調制御プログラムであって、
前記エリアの空調環境に関する情報であるエリア情報が入力されるエリア情報入力ステップと、
前記エリア情報に基づいて、前記空調室内機（７１，７２，・・・）が提供する空調空気の風向、前記空調室内機（７１，７２，・・・）が提供する空調空気の風量及び前記空調室内機（７１，７２，・・・）が提供する空調空気の温度の少なくとも２つ以上について優先順位が付けられて、前記エリアそれぞれに対して空調環境が提供される制御ステップと、
を備えた、
エリア別空調制御プログラム。
【発明の詳細な説明】
【技術分野】
【０００１】
本発明は、エリア別空調制御システム、エリア別空調制御方法及びエリア別空調制御プログラムに関する。
【背景技術】
【０００２】
ビルなどの建造物に設置される空調システムが提供する空調環境を享受する人間は、１人ではなく、複数存在することが多い。したがって、複数の個人及び団体の少なくとも一方（以下、個人等とする）が空調環境に関する異なった要求を持っている場合には、上記のような１つの空間に一律の空調環境を提供する空調制御を行うと、快適度合いが不足していると感じる個人等が出現することになる。このような個人等は、例えば仕事を行うオフィスにおいて生産効率が低下したり、病院の大部屋において十分に快適な環境を得られなくなったりする恐れがある。
【０００３】
そこで、できるだけ多くの個人等の空調環境に対する要求に応えられるように、空調後の空気を吹き出す空調室内機を個人等に対してそれぞれ配備し、個別に空調を行うようにした空調システムが提案されている（例えば、特許文献１参照。）。このシステムは、一般にパーソナル空調システムと呼ばれ、個人等の要求を満足させることによって各個人等の生産効率を高く維持することができ、生産性向上の効果を得ることができるとされている。
【０００４】
一方、エリア情報に基づいた情報（例えば、不満者率）と空調環境との関係を求め、エリア情報に基づいた情報（例えば、不満者率）が所定の値になるように制御することにより、空調環境を快適化する空気調和装置が提案されている（例えば、特許文献２参照。）。
【特許文献１】特公平７−８８９５０号公報
【特許文献２】特許第３２１４３１７号公報
【発明の開示】
【発明が解決しようとする課題】
【０００５】
上記のパーソナル空調システムを採用すれば、仕事を行う複数の個人等から成る組織においては、生産性の向上というメリットを得ることができるとともに、個人等に対して１台ずつ空調室内機を配備しているため、個人等ごとに快適な空調環境を提供することが可能になる。
しかし、パーソナル空調システムが採用されておらず、個人等が使用するエリア（空間）に対して空調室内機が１対１で対応していない場合には、エリア毎に快適な空調環境を提供することができないおそれがある。
【０００６】
また、従来の空気調和装置では、エリア情報に基づいた情報（例えば、不満者率）が所定の値になるように制御するだけであるので、消費するエネルギーの増加が抑えられていないおそれがある。
そこで、本発明の課題は、エネルギーの増加を抑えながら空調環境を快適化することができるエリア別空調制御システム、エリア別空調制御方法及びエリア別空調制御プログラムを提供することにある。
【課題を解決するための手段】
【０００７】
請求項１に係るエリア別空調制御システムは、空気調和装置を制御するエリア別空調制御システムであって、エリア情報入力部と、制御部とを備える。空気調和装置は、１以上の空調室内機を有する。空調室内機は、複数のエリアに対する共通の空調環境提供手段として配備される。エリア情報入力部には、エリア情報が入力される。エリア情報は、エリアの空調環境に関する情報である。制御部は、エリア情報に基づいて、空調室内機が提供する空調空気の風向、空調室内機が提供する空調空気の風量及び空調室内機が提供する空調空気の温度の少なくとも２つ以上（以下、空調室内機が提供する空調空気の風向等とする）について優先順位を付けて、エリアそれぞれに対して空調環境を提供する。
【０００８】
このエリア別空調制御システムでは、エリア情報入力部に、エリア情報が入力される。制御部が、エリア情報又はエリア情報に基づいた情報を、受け取ることができる。制御部が、エリア情報に基づいて、空調室内機が提供する空調空気の風向等について優先順位を付けて、エリアそれぞれに対して空調環境を提供する。
したがって、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
【０００９】
なお、「エリア情報に基づいて」には、エリア情報そのものに基づくことだけでなく、エリア情報に基づいた情報に基づくことも含まれる。
請求項２に係るエリア別空調制御システムは、請求項１に記載のエリア別空調制御システムであって、制御部は、エリア情報に基づいて、空気調和装置の消費するエネルギーの増加する方向にエリアそれぞれに対して空調環境を提供するときは、風向、風量及び温度の順番に優先順位を付ける。
【００１０】
このエリア別空調制御システムでは、エリア情報入力部に、エリア情報が入力される。制御部が、エリア情報又はエリア情報に基づいた情報を、受け取ることができる。制御部が、エリア情報に基づいて、空気調和装置の消費するエネルギーの増加する方向にエリアそれぞれに対して空調環境を提供するときは、風向、風量及び温度の順番に優先順位を付ける。制御部が、エリア情報に基づいて、空調室内機が提供する空調空気の風向等について優先順位を付けて、エリアそれぞれに対して空調環境を提供する。
【００１１】
したがって、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
請求項３に係るエリア別空調制御システムは、請求項１に記載のエリア別空調制御システムであって、制御部は、エリア情報に基づいて、空気調和装置の消費するエネルギーの減少する方向にエリアそれぞれに対して空調環境を提供するときは、温度、風量及び風向の順番に優先順位を付ける。
【００１２】
このエリア別空調制御システムでは、エリア情報入力部に、エリア情報が入力される。制御部が、エリア情報又はエリア情報に基づいた情報を、受け取ることができる。制御部が、エリア情報に基づいて、空気調和装置の消費するエネルギーの減少する方向にエリアそれぞれに対して空調環境を提供するときは、温度、風量及び風向の順番に優先順位を付ける。制御部が、エリア情報に基づいて、空調室内機が提供する空調空気の風向等について優先順位を付けて、エリアそれぞれに対して空調環境を提供する。
【００１３】
したがって、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
請求項４に係るエリア別空調制御システムは、請求項１に記載のエリア別空調制御システムであって、エリア情報は、エリアに属する個人及び団体の少なくとも一方（以下、個人等とする）の温熱感覚に関する情報を含む。エリア別空調制御システムは、演算部をさらに備える。演算部は、温熱感覚に関する情報に基づいて、不満者率を演算する。不満者率は、エリアに属する個人等において空調環境に対して不満を感じている個人等の割合である。
【００１４】
このエリア別空調制御システムでは、エリア情報が、エリアに属する個人等の温熱感覚に関する情報を含む。演算部が、温熱感覚に関する情報をエリア情報入力部から受け取ることができる。演算部が、温熱感覚に関する情報に基づいて、不満者率を演算する。演算部が、不満者率の情報を制御部に渡すことができる。制御部が、不満者率に基づいて、空調室内機が提供する空調空気の風向等について優先順位を付けて、エリアそれぞれに対して空調環境を提供することができる。
【００１５】
したがって、不満者率が所定値以下になるように制御することができる。また、不満者率に基づいて、エネルギーの増加を抑えるように、優先順位を決めることができる。このため、エネルギーの増加を抑えながら空調環境を快適化することができる。
なお、不満者率は、エリアごとの値であってもよいし、複数のエリア全体についての値であってもよい。
【００１６】
請求項５に係るエリア別空調制御システムは、請求項４に記載のエリア別空調制御システムであって、制御部は、不満者率が所定値以下になるように、エリアそれぞれに対して空調環境を提供する。
このエリア別空調制御システムでは、エリア情報が、エリアに属する個人等の温熱感覚に関する情報を含む。演算部が、温熱感覚に関する情報をエリア情報入力部から受け取ることができる。演算部が、温熱感覚に関する情報に基づいて、不満者率を演算する。演算部が、不満者率の情報を制御部に渡すことができる。制御部が、不満者率が所定値以下になるように、エリアそれぞれに対して空調環境を提供する。
【００１７】
したがって、不満者率が所定値以下になるように制御するので、空調環境を快適化することができる。
請求項６に係るエリア別空調制御システムは、請求項１から５のいずれかに記載のエリア別空調制御システムであって、エリア位置記憶部をさらに備える。エリア位置記憶部は、室内におけるエリアそれぞれの位置を記憶する。
【００１８】
このエリア別空調制御システムでは、エリア位置記憶部が、室内におけるエリアそれぞれの位置を記憶する。制御部が、エリアそれぞれの位置の情報を、エリア位置記憶部から受け取ることができる。制御部が、エリア情報に基づいて、空調室内機が提供する空調空気の風向等について優先順位を付けて、エリアそれぞれに対して空調環境を提供する。
したがって、エリアそれぞれの位置を記憶しているので、エリアそれぞれに適した空調環境を提供することができる。このため、エリア毎に空調環境を快適化することができる。
【００１９】
請求項７に係るエリア別空調制御システムは、請求項６に記載のエリア別空調制御システムであって、エリア位置記憶部は、温熱感覚に関する情報とエリアそれぞれの位置とを関連づけて記憶する。制御部は、空調室内機が提供する空調空気の風向、空調室内機が提供する空調空気の風量及び空調室内機が提供する空調空気の温度の少なくもと１つを変えることで室内における気流を制御する。
【００２０】
このエリア別空調制御システムでは、エリア位置記憶部が、温熱感覚に関する情報とエリアそれぞれの位置とを関連づけて記憶する。制御部が、温熱感覚に関する情報とエリアとの関連づけの情報を、エリア位置記憶部から受け取ることができる。制御部が、空調室内機が提供する空調空気の風向、空調室内機が提供する空調空気の風量及び空調室内機が提供する空調空気の温度の少なくもと１つを変えることで室内における気流を制御する。
【００２１】
したがって、温熱感覚に関する情報とエリアとの関連づけの情報に基づいて、室内における気流を制御することができる。このため、エリア毎に空調環境を快適化することができる。
請求項８に係るエリア別空調制御システムは、請求項６又は７に記載のエリア別空調制御システムであって、エリア情報は、エリアに属する個人等の不在に関する情報をさらに含む。エリア位置記憶部は、不在に関する情報とエリアそれぞれの位置とを関連づけてさらに記憶している。
【００２２】
このエリア別空調制御システムでは、エリア情報が、エリアに属する個人等の不在に関する情報をさらに含む。エリア位置記憶部が、不在に関する情報とエリアそれぞれの位置とを関連づけてさらに記憶している。制御部が、不在に関する情報とエリアとの関連づけの情報を、エリア位置記憶部から受け取ることができる。制御部が、エリア情報に基づいて、空調室内機が提供する空調空気の風向等について優先順位を付けて、エリアそれぞれに対して空調環境を提供する。
【００２３】
したがって、個人等の不在に関する情報に基づいて、エリアそれぞれに対して空調環境を提供することができる。このため、エネルギーの増加をさらに抑えながら空調環境を快適化することができる。
請求項９に係るエリア別空調制御システムは、請求項１から８のいずれかに記載のエリア別空調制御システムであって、影響度合い記憶部をさらに備える。影響度合い記憶部は、影響度合いを記憶する。影響度合いは、空調室内機が提供する空調空気の風向等が、空気調和装置の消費するエネルギーへ影響する度合いである。
【００２４】
このエリア別空調制御システムでは、影響度合い記憶部が、影響度合いを記憶する。制御部が、影響度合いの情報を影響度合い記憶部から受け取ることができる。制御部が、エリア情報に基づいて、空調室内機が提供する空調空気の風向等について優先順位を付けて、エリアそれぞれに対して空調環境を提供する。
したがって、影響度合いを記憶しているので、エリア情報に基づいて、エネルギーの増加を抑えるように優先順位を決めることを容易にすることができる。
【００２５】
請求項１０に係るエリア別空調制御システムは、請求項１から９のいずれかに記載のエリア別空調制御システムであって、検知部をさらに備える。検知部は、エリア情報を検知する。
このエリア別空調制御システムでは、検知部が、エリア情報を検知する。エリア情報入力部に、検知部からエリア情報が受け取られることにより、エリア情報が入力され得る。制御部が、エリア情報又はエリア情報に基づいた情報を、受け取ることができる。制御部が、エリア情報に基づいて、空調室内機が提供する空調空気の風向等について優先順位を付けて、エリアそれぞれに対して空調環境を提供する。
【００２６】
したがって、エリア情報を検知するので、個人等がエリア情報入力部に入力する手間を低減することができる。
請求項１１に係るエリア別空調制御システムは、請求項４から１０のいずれかに記載のエリア別空調制御システムであって、測定部と、相関関係記憶部とをさらに備える。測定部は、空調室内機が提供する空調空気の風向等を測定する。相関関係記憶部は、測定部が測定した値と不満者率との相関関係を記憶している。
【００２７】
このエリア別空調制御システムでは、エリア情報が、エリアに属する個人等の温熱感覚に関する情報を含む。演算部が、温熱感覚に関する情報をエリア情報入力部から受け取ることができる。演算部が、温熱感覚に関する情報に基づいて、不満者率を演算する。演算部が、不満者率の情報を制御部に渡すことができる。制御部が、不満者率に基づいて、空調室内機が提供する空調空気の風向等について優先順位を付けて、エリアそれぞれに対して空調環境を提供することができる。測定部が、空調室内機が提供する空調空気の風向等を測定する。相関関係記憶部が、測定部が測定した値と不満者率との相関関係を記憶する。
【００２８】
したがって、空調室内機が提供する空調空気の風向等と不満者率との相関関係を記憶しているので、不満者率が所定値以下になるように制御することを容易にすることができる。
請求項１２に係るエリア別空調制御システムは、請求項１１に記載のエリア別空調制御システムであって、相関関係記憶部は、優先順位毎に、測定部が測定した値と不満者率との相関関係を記憶する。
【００２９】
このエリア別空調制御システムでは、エリア情報が、エリアに属する個人等の温熱感覚に関する情報を含む。演算部が、温熱感覚に関する情報をエリア情報入力部から受け取ることができる。演算部が、温熱感覚に関する情報に基づいて、不満者率を演算する。演算部が、不満者率の情報を制御部に渡すことができる。制御部が、不満者率に基づいて、空調室内機が提供する空調空気の風向等について優先順位を付けて、エリアそれぞれに対して空調環境を提供することができる。測定部が、空調室内機が提供する空調空気の風向等を測定する。相関関係記憶部が、優先順位毎に、測定部が測定した値と不満者率との相関関係を記憶する。
【００３０】
したがって、空調室内機が提供する空調空気の風向等と不満者率との相関関係を優先順位毎に把握することができるので、不満者率が所定値以下になるように優先順位毎に制御することを容易にすることができる。
請求項１３に係るエリア別空調制御システムは、請求項１１又は１２のいずれかに記載のエリア別空調制御システムであって、相関関係記憶部は、エリア位置記憶部に記憶されている不在に関する情報とエリアとの関連づけのパターン毎に、測定部が測定した値と不満者率との相関関係を記憶している。
【００３１】
このエリア別空調制御システムでは、エリア情報が、エリアに属する個人等の不在に関する情報をさらに含む。エリア位置記憶部が、不在に関する情報とエリアとを関連づけてさらに記憶している。制御部が、不在に関する情報とエリアとの関連づけの情報を、エリア位置記憶部から受け取ることができる。制御部が、エリア情報に基づいて、空調室内機が提供する空調空気の風向等について優先順位を付けて、エリアそれぞれに対して空調環境を提供する。相関関係記憶部が、エリア位置記憶部に記憶されている不在に関する情報とエリアとの関連づけのパターン毎に、測定部が測定した値と不満者率との相関関係を記憶している。
【００３２】
したがって、空調室内機が提供する空調空気の風向等と不満者率との相関関係を、不在に関する情報とエリアとの関連づけのパターン毎に把握することができるので、エネルギーの増加を抑えながら不満者率が所定値以下になるように制御することを容易にすることができる。
請求項１４に係るエリア別空調制御システムは、請求項１から１３のいずれかに記載のエリア別空調制御システムであって、エリア情報は、要求環境情報をさらに含む。要求環境情報は、それぞれのエリアにおいて要求される空調環境の情報である。
【００３３】
このエリア別空調制御システムでは、エリア情報が、要求環境情報をさらに含む。エリア情報入力部に、エリア情報が入力される。制御部が、エリア情報又はエリア情報に基づいた情報を、受け取ることができる。制御部が、エリア情報に基づいて、空調室内機が提供する空調空気の風向等について優先順位を付けて、エリアそれぞれに対して空調環境を提供する。
【００３４】
したがって、個人等の要求に応じて、エリアそれぞれに対して空調環境を提供することができる。また、エリア情報に基づいて、エリアそれぞれに対して快適な空調環境を決めることができる。さらに、エリア情報に基づいて、エネルギーの増加を抑えるように、優先順位を決めることができる。このため、できるだけ個人等の要求に応じるとともに、エネルギーの増加を抑えながら空調環境を快適化することができる。
【００３５】
請求項１５に係るエリア別空調制御方法は、空気調和装置が制御されるエリア別空調制御方法であって、エリア情報入力ステップと、制御ステップとを備える。空気調和装置は、１以上の空調室内機を有する。空調室内機は、複数のエリアに対する共通の空調環境提供手段として配備される。エリア情報入力ステップでは、エリア情報が入力される。エリア情報は、エリアの空調環境に関する情報である。制御ステップでは、エリア情報に基づいて、空調室内機が提供する空調空気の風向等について優先順位が付けられて、エリアそれぞれに対して空調環境が提供される。
【００３６】
このエリア別空調制御方法では、エリア情報入力ステップにおいて、エリア情報が入力される。制御ステップにおいて、エリア情報又はエリア情報に基づいた情報が、受け取られ得る。制御ステップにおいて、エリア情報に基づいて、空調室内機が提供する空調空気の風向等について優先順位が付けられて、エリアそれぞれに対して空調環境が提供される。
【００３７】
したがって、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
なお、「エリア情報に基づいて」には、エリア情報そのものに基づくことだけでなく、エリア情報に基づいた情報に基づくことも含まれる。
【００３８】
請求項１６に係るエリア別空調制御プログラムは、空気調和装置を空調管理装置に制御させるエリア別空調制御プログラムであって、エリア情報入力ステップと、制御ステップとを備える。空気調和装置は、１以上の空調室内機を有する。空調室内機は、複数のエリアに対する共通の空調環境提供手段として配備される。エリア情報入力ステップでは、エリア情報が入力される。エリア情報は、エリアの空調環境に関する情報である。制御ステップでは、エリア情報に基づいて、空調室内機が提供する空調空気の風向等について優先順位が付けられて、エリアそれぞれに対して空調環境が提供される。
【００３９】
このエリア別空調制御プログラムでは、エリア情報入力ステップにおいて、エリア情報が入力される。制御ステップにおいて、エリア情報又はエリア情報に基づいた情報が、受け取られ得る。制御ステップにおいて、エリア情報に基づいて、空調室内機が提供する空調空気の風向等について優先順位が付けられて、エリアそれぞれに対して空調環境が提供される。
【００４０】
したがって、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
なお、「エリア情報に基づいて」には、エリア情報そのものに基づくことだけでなく、エリア情報に基づいた情報に基づくことも含まれる。
【発明の効果】
【００４１】
請求項１に係るエリア別空調制御システムでは、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
請求項２に係るエリア別空調制御システムでは、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
【００４２】
請求項３に係るエリア別空調制御システムでは、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
請求項４に係るエリア別空調制御システムでは、不満者率が所定値以下になるように制御することができる。また、不満者率に基づいて、エネルギーの増加を抑えるように、優先順位を決めることができる。このため、エネルギーの増加を抑えながら空調環境を快適化することができる。
【００４３】
請求項５に係るエリア別空調制御システムでは、不満者率が所定値以下になるように制御するので、空調環境を快適化することができる。
請求項６に係るエリア別空調制御システムでは、エリアそれぞれの位置を記憶しているので、エリアそれぞれに適した空調環境を提供することができる。このため、エリア毎に空調環境を快適化することができる。
【００４４】
請求項７に係るエリア別空調制御システムでは、温熱感覚に関する情報とエリアとの関連づけの情報に基づいて、室内における気流を制御することができる。このため、エリア毎に空調環境を快適化することができる。
請求項８に係るエリア別空調制御システムでは、個人等の不在に関する情報に基づいて、エリアそれぞれに対して空調環境を提供することができる。このため、エネルギーの増加をさらに抑えながら空調環境を快適化することができる。
【００４５】
請求項９に係るエリア別空調制御システムでは、影響度合いを記憶しているので、エリア情報に基づいて、エネルギーの増加を抑えるように優先順位を決めることを容易にすることができる。
請求項１０に係るエリア別空調制御システムでは、エリア情報を検知するので、個人等がエリア情報入力部に入力する手間を低減することができる。
【００４６】
請求項１１に係るエリア別空調制御システムでは、空調室内機が提供する空調空気の風向等と不満者率との相関関係を記憶しているので、不満者率が所定値以下になるように制御することを容易にすることができる。
請求項１２に係るエリア別空調制御システムでは、空調室内機が提供する空調空気の風向等と不満者率との相関関係を優先順位毎に記憶しているので、不満者率が所定値以下になるように優先順位毎に制御することを容易にすることができる。
【００４７】
請求項１３に係るエリア別空調制御システムでは、空調室内機が提供する空調空気の風向等と不満者率との相関関係を、不在に関する情報とエリアとの関連づけのパターン毎に把握することができるので、エネルギーの増加を抑えながら不満者率が所定値以下になるように制御することを容易にすることができる。
請求項１４に係るエリア別空調制御システムでは、個人等の要求に応じて、エリアそれぞれに対して空調環境を提供することができる。また、エリア情報に基づいて、エリアそれぞれに対して快適な空調環境を決めることができる。さらに、エリア情報に基づいて、エネルギーの増加を抑えるように、優先順位を決めることができる。このため、できるだけ個人等の要求に応じるとともに、エネルギーの増加を抑えながら空調環境を快適化することができる。
【００４８】
請求項１５に係るエリア別空調制御方法では、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
請求項１６に係るエリア別空調制御プログラムでは、エリア情報に基づいて、エリアそれぞれに対して快適な空調環境を決めることができる。また、エリア情報に基づいて、エネルギーの増加を抑えるように、優先順位を決めることができる。このため、エネルギーの増加を抑えながら空調環境を快適化することができる。
【発明を実施するための最良の形態】
【００４９】
［第１実施形態］
本発明の第１実施形態に係るエリア別空調制御システム１の概念図を図１に示す。また、本発明の第１実施形態に係るエリア別空調制御システム１の各構成要素の構成図を図２に示す。図１に示すエリア別空調制御システム１は、主としてオフィスビルに設置される空調室外機群６０（６１，６２，・・・）および空調室内機群７０（７１，７２，・・・）から成る空気調和装置を制御するシステムであり、エリア別に異なる空調環境を提供することが可能となっている。
【００５０】
＜エリア別空調制御システム１の全体構成＞
図１に示すエリア別空調制御システム１は、１つの空調室外機と複数の空調室内機とから構成されるマルチ型の空気調和装置を複数台まとめて集中制御することが可能である。エリア別空調制御システム１は、主として、空調管理装置１０、情報入力端末群４０（４１，４２，４３，４４，・・・）、空調室外機群６０（６１，６２，・・・）、空調室内機群７０（７１，７２，・・・）、通信線８０及び通信線９０を備えている。空調管理装置１０と空調室外機群６０（６１，６２，・・・）とは、通信線８０により接続されている。空調室外機群６０（６１，６２，・・・）と空調室内機群７０（７１，７２，・・・）とは、通信線８０により接続されている。空調管理装置１０と情報入力端末群４０（４１，４２，４３，４４，・・・）とは、通信線９０により接続されている。
【００５１】
＜空調管理装置１０の構成＞
図２に示すように、空調管理装置１０は、主として、第１送受信部１９，第２送受信部１６，エリア情報入力部１１，制御部１２，演算部１３、影響度合い記憶部１５及び制御信号記憶部１７を備える。
第１送受信部１９は、情報入力端末群４０（４１，４２，４３，４４，・・・）付近のエリアに属する個人の温熱感覚の情報を、通信線９０経由で受信する。温熱感覚の情報は、「暑い」、「快適」及び「寒い」のいずれかである。第１送受信部１９は、温熱感覚の情報をエリア情報入力部１１へ渡す。エリア情報入力部１１には、温熱感覚の情報が第１送受信部１９から受け取られることにより、温熱感覚の情報が入力される。演算部１３は、温熱感覚に関する情報をエリア情報入力部１１から受け取る。演算部１３は、温熱感覚に関する情報に基づいて、不満者率を演算する。例えば、図１に示す情報入力端末群４０（４１，４２，４３，４４，・・・）付近のエリアに属する個人の温熱感覚の情報全体の１０％が「暑い」である場合は、不満者率が１０％とされる。図１に示す情報入力端末群４０（４１，４２，４３，４４，・・・）付近のエリアに属する個人の温熱感覚の情報全体の１０％が「寒い」である場合も、不満者率が１０％とされる。演算部１３は、不満者率の情報を制御部１２に渡す。制御部１２は、不満者率が所定値超（例えば、１０％超）であるか否か判断する。制御部１２は、不満者率が所定値超（例えば、１０％超）である場合、影響度合い記憶部１５を参照して、空調室内機７１，７２，・・・が提供する空調空気の風向、空調室内機７１，７２，・・・が提供する空調空気の風量及び空調室内機７１，７２，・・・が提供する空調空気の温度（以下、空調空気の風向等とする）について優先順位を決める。制御部１２は、制御信号記憶部１７を参照して、エリアそれぞれに対して空調環境を提供させるための制御信号を選択する。制御部１２は、制御信号を第２送受信部１６へ渡す。第２送受信部１６は、制御信号を通信線８０経由で空調室外機群６０（６１，６２，・・・）へ送信する。
【００５２】
＜制御対象となる空気調和装置の構成＞
図１に示すように、空気調和装置は、主として、空調室外機群６０（６１，６２，・・・）と空調室内機群７０（７１，７２，・・・）とを備える。空気調和装置は、空調管理装置１０と通信線８０で接続されている。
空調室外機群６０（６１，６２，・・・）と空調室内機群７０（７１，７２，・・・）とは、制御信号を通信線８０経由で空調管理装置１０から受信する。これにより、空気調和装置が制御される。
【００５３】
本実施形態においてオフィスビルに設置されている空気調和装置は、複数のマルチ型の空気調和装置であって、それぞれが空調管理装置１０によって監視・制御される。それぞれの空気調和装置では、１つの空調室外機と複数の空調室内機とが１つの冷媒系統を形成している。
空調室内機群７０（７１，７２，・・・）は、全て天井埋設型である。どの空調室内機も同様の構成であるので、ここでは空調室内機７１を例にとって構造を説明する。
【００５４】
空調室内機７１は、図１７に示すように、天井に埋設されるケーシング９２と、ケーシング９２の下面に固定される化粧パネルとを備えている。
ケーシング９２は、その内部に各構成部品を格納するための部材であり、略矩形形状の外形を有している。化粧パネルには、下面中央に設けられた吸い込み口９１と、その外周側に設けられた４つの吹き出し口７１ａ，７１ｂ，７１ｃ，７１ｄとが形成されている（図１１参照）。また、ケーシング９２内には、遠心送風機９３、熱交換器９４、吸い込み空気温度測定センサ９５、吹き出し空気温度測定センサ９６などが収容されている。さらに、各吹き出し口７１ａ，７１ｂ，７１ｃ，７１ｄ（図１１参照）には、吹き出し空気の方向を変えるための垂直フラップ９７および水平フラップ（図示せず）が配置されている。
【００５５】
遠心送風機９３を回転させると、吸い込み口９１から室内の空気が吸い込まれる。吸い込まれた空気は、遠心送風機９３の外周側に吹き出される。遠心送風機９３の外周側に吹き出された空気は、その外周側に配置された熱交換器９４によって熱交換され、４つの吹き出し口７１ａ，７１ｂ，７１ｃ，７１ｄ（図１１参照）から室内に吹き出される。
＜情報入力端末群４０（４１，４２，４３，４４，・・・）の構成＞
図１に示す情報入力端末群４０（４１，４２，４３，４４，・・・）は、空調管理装置１０と通信線９０で接続されている。情報入力端末群４０（４１，４２，４３，４４，・・・）は、エリア毎の空調環境に関する情報を入力させるための情報入力端末として利用される。
【００５６】
情報入力端末群４０（４１，４２，４３，４４，・・・）には、情報入力端末群４０（４１，４２，４３，４４，・・・）付近のエリアに属する個人の温熱感覚の情報が入力される。情報入力端末群４０（４１，４２，４３，４４，・・・）付近のエリアに属する個人の温熱感覚の情報は、情報入力端末群４０（４１，４２，４３，４４，・・・）から空調管理装置１０へ、通信線９０を経由して送信される。
【００５７】
＜影響度合い記憶部１５の構成＞
図２に示す影響度合い記憶部１５は、図４，図５に示すように、主として、運転モード１５１，温熱感覚１５２，エネルギーへの影響１５３，制御対象１５４及び優先順位１５５を備える。
図４に示す運転モード１５１は、図２に示す制御部１２が制御している空気調和装置の運転モードであり、例えば、冷房、暖房などである。図４に示す温熱感覚１５２は、図２に示すエリア情報入力部１１に入力された、図１に示す情報入力端末群４０（４１，４２，４３，４４，・・・）付近のエリアに属する個人の温熱感覚の情報に対応している。図１に示す情報入力端末群４０（４１，４２，４３，４４，・・・）付近のエリアに属する個人の温熱感覚の情報全体の所定割合超（例えば、１０％超）が「暑い」である場合は、図４に示す温熱感覚１５２が「暑い」である行が参照される。図１に示す情報入力端末群４０（４１，４２，４３，４４，・・・）付近のエリアに属する個人の温熱感覚の情報全体の所定割合超（例えば、１０％超）が「寒い」である場合は、図４に示す温熱感覚１５２が「寒い」である行が参照される。図１に示す情報入力端末群４０（４１，４２，４３，４４，・・・）付近のエリアに属する個人の温熱感覚の情報全体の所定割合超（例えば、１０％超）が「寒い」及び「暑い」である場合は、「暑い」の割合の方が多ければ、図４に示す温熱感覚１５２が「暑い」である行が参照され、「寒い」の割合の方が多ければ、図４に示す温熱感覚１５２が「寒い」である行が参照される。そのいずれでもない場合は、図４に示す温熱感覚１５２が「快適」である行が参照される。
【００５８】
図４に示すエネルギーへの影響１５３は、運転モード１５１と温熱感覚１５２とから決められる。例えば、運転モード１５１が冷房であり、温熱感覚１５２が「暑い」である場合、エネルギーへの影響１５３は、「増加」であると決められる。冷房運転において温熱感覚が暑い場合は、さらに冷房運転を強化する必要があるからである。運転モード１５１が冷房であり、温熱感覚１５２が「寒い」である場合、エネルギーへの影響１５３は、「減少」であると決められる。冷房運転において温熱感覚が寒い場合は、さらに冷房運転を弱める必要があるからである。
【００５９】
図５に示す制御対象１５４と優先順位１５５とは、エネルギーへの影響１５３から決められる。例えば、エネルギーへの影響１５３が「増加」である場合、制御対象１５４が「風向」、「風量」及び「温度」に決められ、優先順位１５５がそれぞれ「１」、「２」及び「３」に決められる。エネルギー増加への影響が少ない順番が、「風向」、「風量」、「温度」の順番であると考えられるからである。エネルギーへの影響１５３が「減少」である場合、制御対象１５４が「風向」、「風量」及び「温度」に決められ、優先順位１５５がそれぞれ「３」、「２」及び「１」に決められる。エネルギーへの影響が「減少」である場合は、エネルギー増加への影響の影響が多い順番である、「温度」、「風量」、「風向」の順番で制御を行うことで、エネルギーが減少すると考えられるからである。
【００６０】
＜エリア別空調制御システム１が空気調和装置を制御する処理の流れ＞
エリア別空調制御システム１が空気調和装置を制御する処理の流れを、図３に示すフローチャートを用いて説明する。
図３に示すステップＳ１では、エリアの空調環境に関する情報が入力される。すなわち、情報入力端末群４０（４１，４２，４３，４４，・・・）に、情報入力端末群４０（４１，４２，４３，４４，・・・）付近のエリアに属する個人の温熱感覚の情報が入力される。情報入力端末群４０（４１，４２，４３，４４，・・・）付近のエリアに属する個人の温熱感覚の情報が、情報入力端末群４０（４１，４２，４３，４４，・・・）から空調管理装置１０へ、通信線９０を経由して送信される。第１送受信部１９により、情報入力端末群４０（４１，４２，４３，４４，・・・）付近のエリアに属する個人の温熱感覚の情報が、通信線９０経由で受信される。温熱感覚の情報は、「暑い」、「快適」及び「寒い」のいずれかである。第１送受信部１９により、温熱感覚の情報がエリア情報入力部１１へ渡される。エリア情報入力部１１に、温熱感覚の情報が第１送受信部１９から受け取られることにより、温熱感覚の情報が入力される。
【００６１】
図３に示すステップＳ２では、不満者率が演算される。すなわち、図２に示す演算部１３により、温熱感覚に関する情報がエリア情報入力部１１から受け取られる。演算部１３により、温熱感覚に関する情報に基づいて、不満者率が演算される。例えば、図１に示す情報入力端末群４０（４１，４２，４３，４４，・・・）付近のエリアに属する個人の温熱感覚の情報全体の１０％が「暑い」である場合は、不満者率が１０％とされる。図１に示す情報入力端末群４０（４１，４２，４３，４４，・・・）付近のエリアに属する個人の温熱感覚の情報全体の１０％が「寒い」である場合も、不満者率が１０％とされる。図１に示す情報入力端末群４０（４１，４２，４３，４４，・・・）付近のエリアに属する個人の温熱感覚の情報全体の１０％が「寒い」、１５％が「暑い」である場合は、不満者率が多い方の値である１５％とされる。
【００６２】
図３に示すステップＳ３では、不満者率が所定値（例えば、１０％）を超えたか否かが判断される。すなわち、演算部１３により、不満者率の情報が制御部１２に渡される。制御部１２により、不満者率が所定値（例えば、１０％）を超えたか否かが判断される。不満者率が所定値（例えば、１０％）を超えたと判断された場合、ステップＳ４へ進められ、不満者率が所定値（例えば、１０％）を超えていないと判断された場合、処理が終了される。
【００６３】
図３に示すステップＳ４では、空気調和装置の消費するエネルギーが増加することになるのか否かが判断される。すなわち、制御部１２により、影響度合い記憶部１５が参照される。空気調和装置の運転モードの情報と、図１に示す情報入力端末群４０（４１，４２，４３，４４，・・・）付近のエリアに属する個人の温熱感覚の情報全体の１０％超が「暑い」及び「寒い」のいずれであるのかの情報とから、図４に示すエネルギーへの影響１５３が決められる。「暑い」及び「寒い」の両方とも１０％超である場合は、空気調和装置の運転モードの情報と、「暑い」及び「寒い」のうち割合が多い方の情報とから、図４に示すエネルギーへの影響１５３が決められる。制御部１２により、図４に示すエネルギーへの影響１５３が「増加」であるか否かが判断される。「増加」であると判断された場合、ステップＳ５へ進められ、「増加」でないと判断された場合、ステップＳ６へ進められる。
【００６４】
図３に示すステップＳ５では、優先順位が決定される。すなわち、制御部１２により、影響度合い記憶部１５が参照され、図５に示すエネルギーへの影響１５３が「増加」である行が参照される。そして、制御対象１５４が「風向」、「風量」及び「温度」であると決められる。優先順位１５５が、「風向」について「１」と決められ、「風量」について「２」と決められ、「温度」について「３」と決められる。
【００６５】
図３に示すステップＳ６では、優先順位が決定される。すなわち、制御部１２により、影響度合い記憶部１５が参照され、図５に示すエネルギーへの影響１５３が「減少」である行が参照される。そして、制御対象１５４が「風向」、「風量」及び「温度」であると決められる。優先順位１５５が、「風向」について「３」と決められ、「風量」について「２」と決められ、「温度」について「１」と決められる。
【００６６】
図３に示すステップＳ７では、環境が提供される。すなわち、制御部１２により、制御信号記憶部１７が参照され、制御信号がランダムに選択される。ただし、２回目以降は、それまでに選択されていない制御信号が選択される。制御部１２により、制御信号が第２送受信部１６へ渡される。第２送受信部１６により、制御信号が通信線８０経由で空調室外機群６０（６１，６２，・・・）へ送信される。空調室外機群６０（６１，６２，・・・）と空調室内機群７０（７１，７２，・・・）とにより、制御信号が通信線８０経由で空調管理装置１０から受信される。空調室外機群６０（６１，６２，・・・）と空調室内機群７０（７１，７２，・・・）とにより、エリアそれぞれに対して空調環境が提供される。
【００６７】
＜エリア別空調制御システム１に関する特徴＞
（１）
ここでは、図２に示すエリア情報入力部１１に、図１に示す情報入力端末群４０（４１，４２，４３，４４，・・・）付近のエリアに属する個人の温熱感覚の情報が入力される。図２に示す制御部１２が、温熱感覚の情報に基づいた情報すなわち不満者率の情報を受け取る。制御部１２が、不満者率の情報に基づいて、図１に示す空調室内機７１，７２，・・・が提供する空調空気の風向等について優先順位を付けて、エリアそれぞれに対して空調環境を提供する。
【００６８】
したがって、温熱感覚の情報に基づいた情報すなわち不満者率の情報に基づいて、エリアそれぞれに対して快適な空調環境が決められる。また、温熱感覚の情報に基づいた情報すなわち不満者率の情報に基づいて、エネルギーの増加を抑えるように、優先順位が決められる。このため、エネルギーの増加を抑えながら空調環境が快適化される。
（２）
ここでは、図２に示すエリア情報入力部１１に、図１に示す情報入力端末群４０（４１，４２，４３，４４，・・・）付近のエリアに属する個人の温熱感覚の情報が入力される。図２に示す制御部１２が、温熱感覚の情報に基づいた情報すなわち不満者率の情報を受け取る。制御部１２が、温熱感覚の情報に基づいた情報すなわち不満者率の情報に基づいて、空気調和装置の消費するエネルギーの増加する方向にエリアそれぞれに対して空調環境を提供するとき、すなわち図５に示すエネルギーへの影響が「増加」であるときは、風向、風量及び温度の順番に図５に示す優先順位１５５を決める。制御部１２が、温熱感覚の情報に基づいた情報すなわち不満者率の情報に基づいて、図１に示す空調室内機７１，７２，・・・が提供する空調空気の風向等について優先順位を付けて、エリアそれぞれに対して空調環境を提供する。
【００６９】
したがって、温熱感覚の情報に基づいた情報すなわち不満者率の情報に基づいて、エリアそれぞれに対して快適な空調環境が決められる。また、温熱感覚の情報に基づいた情報すなわち不満者率の情報に基づいて、エネルギーの増加を抑えるように、優先順位が決められる。このため、エネルギーの増加を抑えながら空調環境が快適化される。
（３）
ここでは、図２に示すエリア情報入力部１１に、図１に示す情報入力端末群４０（４１，４２，４３，４４，・・・）付近のエリアに属する個人の温熱感覚の情報が入力される。図２に示す制御部１２が、温熱感覚の情報に基づいた情報すなわち不満者率の情報を受け取る。制御部１２が、温熱感覚の情報に基づいた情報すなわち不満者率の情報に基づいて、空気調和装置の消費するエネルギーの減少する方向にエリアそれぞれに対して空調環境を提供するとき、すなわち図５に示すエネルギーへの影響が「減少」であるときは、温度、風量及び風向の順番に図５に示す優先順位１５５を決める。制御部１２が、温熱感覚の情報に基づいた情報すなわち不満者率の情報に基づいて、図１に示す空調室内機７１，７２，・・・が提供する空調空気の風向等について優先順位を付けて、エリアそれぞれに対して空調環境を提供する。
【００７０】
したがって、温熱感覚の情報に基づいた情報すなわち不満者率の情報に基づいて、エリアそれぞれに対して快適な空調環境が決められる。また、温熱感覚の情報に基づいた情報すなわち不満者率の情報に基づいて、エネルギーの増加を抑えるように、優先順位が決められる。このため、エネルギーの増加を抑えながら空調環境が快適化される。
（４）
ここでは、図２に示すエリア情報入力部１１に入力される情報が、エリアに属する個人の温熱感覚に関する情報を含む。演算部１２が、温熱感覚に関する情報をエリア情報入力部１１から受け取る。演算部１３が、温熱感覚に関する情報に基づいて、不満者率を演算する。演算部１３が、不満者率の情報を制御部１２に渡す。制御部１２が、不満者率に基づいて、図１に示す空調室内機７１，７２，・・・が提供する空調空気の風向等について優先順位を付けて、エリアそれぞれに対して空調環境を提供する。
【００７１】
したがって、不満者率が所定値以下（例えば、１０％以下）になるように制御することが可能である。また、不満者率に基づいて、エネルギーの増加を抑えるように、優先順位が決められる。このため、エネルギーの増加を抑えながら空調環境が快適化される。
（５）
ここでは、図２に示すエリア情報入力部１１に入力される情報が、図１に示す情報入力端末群４０（４１，４２，４３，４４，・・・）付近のエリアに属する個人の温熱感覚の情報を含む。図２に示す演算部１２が、温熱感覚に関する情報をエリア情報入力部１１から受け取る。演算部１３が、温熱感覚に関する情報に基づいて、不満者率を演算する。演算部１３が、不満者率の情報を制御部１２に渡す。制御部１２が、不満者率が所定値以下（例えば、１０％以下）になるように、エリアそれぞれに対して空調環境を提供する。
【００７２】
したがって、不満者率が所定値以下（例えば、１０％以下）になるように制御されるので、空調環境が快適化される。
（６）
ここでは、図２に示す影響度合い記憶部１５が、図１に示す空調室内機７１，７２，・・・が提供する空調空気の風向等が空気調和装置の消費するエネルギーへ影響する度合いを記憶する。すなわち、図２に示す影響度合い記憶部１５が、図５に示す制御対象１５４について、エネルギーへの影響度合いにより決められている優先順位１５５を記憶する。図２に示す制御部１２が、優先順位の情報を影響度合い記憶部１５から受け取る。制御部１２が、温熱感覚の情報に基づいた情報すなわち不満者率の情報に基づいて、図１に示す空調室内機７１，７２，・・・が提供する空調空気の風向等について優先順位を付けて、エリアそれぞれに対して空調環境を提供する。
【００７３】
したがって、影響度合いを記憶しているので、温熱感覚の情報に基づいた情報すなわち不満者率の情報に基づいて、エネルギーの増加を抑えるように優先順位が決められる。
＜第１実施形態の変形例＞
（Ａ）
図３に示すステップＳ２では、図１に示す情報入力端末群４０（４１，４２，４３，４４，・・・）付近のエリアに属する個人の温熱感覚の情報全体の５％が「寒い」、１０％が「暑い」である場合は、それらの合計である１５％が不満者率とされてもよい。すなわち、「寒い」の割合と「暑い」の割合との合計が不満者率とされてもよい。この場合、図３に示すステップＳ３では、「寒い」の割合と「暑い」の割合との合計の不満者率について、所定値を超えたか否かが判断される。図３に示すステップＳ４では、空気調和装置の運転モードの情報と、「暑い」及び「寒い」のうち割合が多い方の情報とから、図４に示すエネルギーへの影響１５３が決められる。
【００７４】
（Ｂ）
図２に示すエリア情報入力部１１には、直接不満者率と温熱感覚とが入力されてもよい。すなわち、図１に示すＲＭの管理者により、温熱感覚が集計されてもよい。全体の１０％超の人が「暑い」と答えた場合、エリア情報入力部１１には、不満者率と温熱感覚が「暑い」である旨の情報とが入力される。全体の１０％超の人が「寒い」と答えた場合、エリア情報入力部１１には、不満者率と温熱感覚が「寒い」である旨の情報とが入力される。全体の１０％超の人が「寒い」と答えて１５％の人が「暑い」と答えた場合、エリア情報入力部１１には、不満者率と温熱感覚が多い方の「暑い」である旨の情報とが入力される。そのいずれでもない場合、エリア情報入力部１１には、不満者率と温熱感覚が「快適」である旨の情報とが入力される。この場合でも、不満者率の情報に基づいて、エリアそれぞれに対して快適な空調環境を決めることができる。また、不満者率の情報に基づいて、エネルギーの増加を抑えるように、優先順位を決めることができる。このため、エネルギーの増加を抑えながら空調環境を快適化することができる。なお、この場合、演算部１３は、無くてもよい。
【００７５】
（Ｃ）
不満者率は、図１に示す情報入力端末群４０（４１，４２，４３，４４，・・・）付近のエリアに属する個人の温熱感覚の情報全体について演算されるかわりに、図１に示すＲＭの部分的なエリア毎に演算されてもよい。この場合でも、不満者率の情報に基づいて、エリアそれぞれに対して快適な空調環境を決めることができる。また、不満者率の情報に基づいて、エネルギーの増加を抑えるように、優先順位を決めることができる。このため、エネルギーの増加を抑えながら空調環境を快適化することができる。
【００７６】
（Ｄ）
図５に示す制御対象１５４は、「風向」、「風量」及び「温度」でなくてもよい。すなわち、「風向」、「風量」、「温度」、「湿度」及び「換気量」のいずれか２つ以上でもよい。制御対象１５４に「湿度」が含まれる場合、図２に示すエリア情報入力部１１には、湿度感覚がさらに入力されてもよい。図４に示す運転モードは、「冷房」及び「暖房」でなくてもよい。すなわち、「冷房」、「暖房」、「加湿」、「除湿」及び「換気」のいずれか１つ以上でもよい。
【００７７】
（Ｅ）
図３に示すステップＳ７では、制御信号がランダムに選択されなくてもよい。すなわち、図５に示すエネルギーへの影響１５３が「増加」である場合の制御信号と、エネルギーへの影響１５３が「減少」である場合の制御信号とが、区別されていてもよい。図５に示すエネルギーへの影響１５３は、「増加」及び「減少」でなくてもよい。すなわち、「増加」や「減少」が、何段階かに分けられていてもよい。エリア情報入力部１１に入力される温熱感覚は、「暑い」、「快適」及び「寒い」でなくてもよい。すなわち、「暑い」や「寒い」が、何段階かに分けられていてもよい。
【００７８】
（Ｆ）
オフィスビルではなく他の建造物に設置される空気調和装置の制御システムに対して、上記のエリア別空調制御システム１を適用することも可能である。例えば、病院の空調システムに対して本発明の制御方法を適用すれば、病院の大部屋内が各病人の空間に分かれている場合に、病人別空調ができるようになるとともに、病人ごとに入院費を調整して公平感を向上させることも可能になる。
【００７９】
（Ｇ）
空調空気の風向等の優先順位は、図５に示す通りでなくてもよい。すなわち、空気調和装置が消費するエネルギーに対する空調空気の風向等の影響が数値化されており、エネルギーへの影響１５３に応じて、優先順位が計算されてもよい。
（Ｈ）
情報入力端末群４０（４１，４２，４３，４４，・・・）付近のエリアに属するのは、個人でなく、団体であってもよい。すなわち、情報入力端末群４０（４１，４２，４３，４４，・・・）は、複数の個人で使用されるような端末が含まれていてもよい。
【００８０】
［第２実施形態］
本発明の第２実施形態に係るエリア別空調制御システム１００を図６に示す。また、エリア別空調制御システム１００の各構成要素の構成図を図７に示す。図６，図７において、図１，図２のエリア別空調制御システム１の構成要素と同様の構成要素は同じ番号で示してある。図６，図７に示すエリア別空調制御システム１００は、主としてオフィスビルに設置される空調室外機群６０（６１，６２，・・・）および空調室内機群７０（７１，７２，・・・）から成る空気調和装置を制御するシステムであり、エリア別に異なる空調環境を提供することが可能となっている。
【００８１】
このエリア別空調制御システム１００は、図６，図７に示すように、基本的な構造は第１実施形態と同様であるが、図６に示す発光器群１３０（１３１，１３２，１３３，１３４，・・・）及び受光器群１５０（１５１，１５２，１５３，１５４，・・・）がさらに備えられており、空調管理装置１１０が図２に示す制御信号記憶部１７を備えずに図７に示すエリア位置記憶部１１４をさらに備える点で構成が異なる。すなわち、図６に示す受光器群１５０（１５１，１５２，１５３，１５４，・・・）は、空調室内機７１，７２，・・・に内蔵あるいは外付けされており、発光器群１３０（１３１，１３２，１３３，１３４，・・・）から送られた光を受ける。これにより、図１０に示すようなＲＭにおける位置の情報が３角法により検出され、通信線８０経由で空調管理装置１１０に送信される。図７に示す空調管理装置１１０の第２送受信部１６は、位置の情報を受信し、制御部１１２を経由して、エリア位置記憶部１１４へ渡す。エリア位置記憶部１１４は、部屋ＲＭにおけるエリアそれぞれの位置を記憶する。
【００８２】
＜室内に配備される受光器、発光器、および情報入力端末について＞
部屋ＲＭの中に配置されているエリア別空調制御システム１００の構成部品が以下の点で第１実施形態と異なる。ここでは、オフィスビル内の１つの部屋ＲＭを例に挙げて、その部屋ＲＭの中に配置されているエリア別空調制御システム１００の構成部品について説明する。
【００８３】
図１２に示すように、部屋ＲＭは、１つのオフィスを構成しており、複数の個人Ｐ１〜Ｐ６が自分専用のスペースとして持っているエリアと、それ以外の共通のスペースであるエリアとに分かれている。共通のスペースの角には、発熱の多いＯＡ機器が集中して置かれている。図１０に示すように、部屋ＲＭは、便宜上２５等分されたブロック（区画）Ｂ１〜Ｂ２５に分けられている。ここでは、ブロックＢ１０が個人Ｐ１の使用するエリアに、ブロックＢ２５が個人Ｐ２の使用するエリアに、ブロックＢ４が個人Ｐ３の使用するエリアに、ブロックＢ１９が個人Ｐ４の使用するエリアに、ブロックＢ８が個人Ｐ５の使用するエリアに、ブロックＢ２３が個人Ｐ６の使用するエリアに、そして、ブロックＢ２１がＯＡ機器の置かれるエリアになっている。
【００８４】
このような部屋ＲＭの天井には、５台の空調室内機７１〜７５が、図１１に示す平面配置で取り付けられている。空調室内機７１は、ブロックＢ４，Ｂ５，Ｂ９，Ｂ１０（図１０参照）にまたがるように平面配置されている。空調室内機７２は、ブロックＢ１９，Ｂ２０，Ｂ２４，Ｂ２５（図１０参照）にまたがるように平面配置されている。空調室内機７３は、ブロックＢ１，Ｂ２，Ｂ６，Ｂ７（図１０参照）にまたがるように平面配置されている。空調室内機７４は、ブロックＢ１６，Ｂ１７，Ｂ２１，Ｂ２２（図１０参照）にまたがるように平面配置されている。空調室内機７５は、ブロックＢ１３（図１０参照）の真上に配置されている。
【００８５】
また、５台の空調室内機７１〜７５は、それぞれ、図６および図１１に示すように、その下面中央から吊り下がる受光器１５１〜１５５を有している。これらの受光器１５１〜１５５は、下記の発光器１３１〜１３７からの光を受けることができるように、発光器１３１〜１３７よりも高い位置に配置されている。
発光器１３１〜１３７は、エリア別空調のエリアを特定するための機器であり、個人Ｐ１〜Ｐ６の机の最上部などに設置され、各受光器１５１〜１５５に対して発光する。例えば、図１３の１点鎖線で示すように、発光器１３３は各受光器１５１〜１５５に対して斜め上方に向けて発光を行うことになる。また、発光器１３１〜１３７は、持ち運び可能な機器であり、部屋ＲＭ内のレイアウト変更を行う際には、新しいレイアウトにおけるエリア別空調のためのエリアを特定できる場所に移動させられる。例えば、図１２に示すレイアウトにおいて個人Ｐ１〜Ｐ６の机の最上部それぞれに発光器１３１〜１３６が設置されているが、これが図１４に示すレイアウトに変わった場合には、各個人Ｐ１〜Ｐ６が自分の移動に合わせて発光器１３１〜１３６を持ち運ぶことが考えられる。
【００８６】
さらに、部屋ＲＭ内には、各個人Ｐ１〜Ｐ６が仕事で使う情報入力端末４１，４２，４３，４４，・・・が存在する。これらの情報入力端末４１，４２，４３，４４，・・・は、通信線９０を介して空調管理装置１１０の第１送受信部１９を経由して、エリア情報入力部１１にアクセスが可能とされている。これらの情報入力端末４１，４２，４３，４４，・・・に、第２実施形態のエリア別空調制御システム１００では、エリア毎の空調環境に関する情報が入力される。例えば、図１６に示すように、個人Ｐ３の机の上にある情報入力端末４３を、ここでは、個人Ｐ３が独占的に使用するエリアの空調環境に関する情報を空調管理装置１０のエリア情報入力部１１に入力するための端末として利用する。この情報入力端末４３で、個人Ｐ３が温熱感覚の情報を入力すると、図１５に示すように、温熱感覚の情報が個人Ｐ３や発光器１３３と関連づけられた形で図７に示すエリア位置記憶部１１４に記憶される。
【００８７】
＜エリアの位置が特定される際の動作＞
エリア別空調制御システム１００では、エリアの位置が特定される点で第１実施形態と異なる。すなわち、以下の点で第１実施形態と異なる。
図７に示す制御部１１２は、まず、受光器１５１〜１５５の設置位置の情報を入手し、それを受光器位置情報ファイル１１４ａに記憶する。受光器１５１〜１５５の設置位置については、全てを手入力してもよいし、一部を手入力して発光器１３１〜１３７や受光器１５１〜１５５による相互位置認識を行わせることによって残りを自動的に入手するようにしてもよい。このように、受光器１５１〜１５５の設置位置の情報を受光器位置情報ファイル１１４ａに記憶しているため、各エリアの位置の再度の特定を行うときにも、その度に受光器１５１〜１５５の設置位置を入力させたり検出したりする必要がなくなる。
【００８８】
次に、制御部１１２は、複数の受光器１５１〜１５５による受光情報から、発光器１３１〜１３７それぞれの位置を検出する。この位置検出は、３角法を利用して行われる。ここで検出された発光器１３１〜１３７の位置情報は、発光器位置情報ファイル１１４ｂに記憶される。
次に、図７に示す制御部１１２は、発光器１３１〜１３７（図１３参照）の位置の近傍のブロック（図１０参照）を、その発光器１３１〜１３７（図１３参照）が示すエリアとして特定する。ここでは、発光器１３１（図１３参照）が示すエリアがブロックＢ１０（図１０参照）、発光器１３２（図１３参照）が示すエリアがブロックＢ２５（図１０参照）、発光器１３３（図１３参照）が示すエリアがブロックＢ４（図１０参照）、発光器１３４（図１３参照）が示すエリアがブロックＢ１９（図１０参照）、発光器１３５（図１３参照）が示すエリアがブロックＢ８（図１０参照）、発光器１３６（図１３参照）が示すエリアがブロックＢ２３（図１０参照）、発光器１３７（図１３参照）が示すエリアがブロックＢ２１（図１０参照）として特定される。こうして特定されたエリアは、エリアの位置としてブロック番号が当てられ、エリア位置情報ファイル１１４ｃに記憶される。また、エリア名と、そのエリア名に対応する発光器のＩＤ番号との相関情報は、相関特定情報ファイル１１４ｄに記憶されている。この相関情報は、個人Ｐ１〜Ｐ６又は代表者が情報入力端末４３，４４などからエリア情報入力部１１に手入力する情報である。相関特定情報ファイル１１４ｄにあるエリア名と発光器のＩＤ番号との相関情報と、エリア位置情報ファイル１１４ｃにある発光器の位置情報（ここではブロック名）とから、制御部１１２は、エリア名と、そのエリア名のエリアの位置（ここではブロック名）との関係を決定する。例えば、個人Ｐ３が自分が独占的に使うエリア名をエリアＰ３と命名し、その自分のエリアには発光器３３を設置したという情報とともにエリアＰ３というエリア名をエリア情報入力部１１に送ると、制御部１１２は、エリア位置情報ファイル１１４ｃにある発光器１３３とブロックＢ４とが対応しているという情報を合わせて、個人Ｐ３のエリアＰ３はブロックＢ４という位置にあるエリアであることを特定することになる。特定された位置の情報は、制御部１１２からエリア位置記憶部１１４へ渡され、エリア位置記憶部１１４に記憶される。
【００８９】
＜空調環境が提供される際の動作＞
エリア別空調制御システム１００では、空調環境が提供される際の動作が第１実施形態と異なる。すなわち、以下の点で第１実施形態と異なる。
図７に示す制御部１１２は、温熱感覚の情報に基づいた情報すなわち不満者率の情報が所定値（例えば、１０％）を超えた場合、エリア位置記憶部１１４に記憶された図１５に示すような温熱感覚の分布に基づいて、空調室内機７１〜７５から吹き出される空気の流れを制御する気流制御を行う。この気流制御は、室内ファンの回転数を変更して吹き出し口から吹き出す空気の速度を制御する風速制御と、図１７に示す垂直フラップ９７および水平フラップを作動させて吹き出し空気の方向を変える風向制御とを含んでいる。
【００９０】
図７に示す制御部１１２は、風速制御と風向制御とを組み合わせ、各エリアに対してエリア情報に対応した空調環境を提供する。例えば、制御部１１２が冷房運転を行わせている場合を考える。「暑い」の温熱感覚が申告されたエリアに対しては吹き出し空気が多く当たるようにし、「寒い」の温熱感覚が申告されたエリアに対しては吹き出し空気が少なく当たるようにする。
【００９１】
例えば、図１５に示すように、個人Ｐ３が占有するブロックＢ４から成るエリアについて「暑い」の温熱感覚が申告され、個人Ｐ４が占有するブロックＢ１９から成るエリアについて「寒い」の温熱感覚が申告されている場合には、図１６に示すように、個人Ｐ３のブロックＢ４の斜め上方の空調室内機７１が、ブロックＢ４のエリアに直接吹き出し空気が当たるように、吹き出し口７１ａ（図１１参照）から下向きの空気流Ｗ２，Ｗ３を多くして斜め下方向きの空気流Ｗ１，Ｗ４を少なくする。また、個人Ｐ４のブロックＢ１９の斜め上方の空調室内機７２が、吹き出し口７２ａ（図１１参照）から個人Ｐ３のブロックＢ４に向く斜め下向きの空気流Ｗ５を多く生成する。空調室内機７２からの空気流Ｗ５は、空調室内機７１からの空気流Ｗ３を個人３のブロックＢ４側へと導く役割も果たしている。一方、「寒い」の温熱感覚を申告している個人Ｐ４のブロックＢ１９に空気流が直接当たらないように、ブロックＢ１９の斜め上方の空調室内機７２は、吹き出し口７２ａ（図１１参照）から下向きの空気流Ｗ６，Ｗ７を少なくし、吹き出し口７２ａ（図１１参照）から斜め下方向きの空気流Ｗ５，Ｗ８を多くするように制御されている。また、空調室内機７１の吹き出し口７１ｂ，７１ｄや空調室内機７２の吹き出し口７２ｂ，７２ｄから吹き出される空気についても、垂直フラップを作動させての左右の吹き出し方向の制御によって、個人Ｐ３が望む寒めの空調環境および個人Ｐ４が望む暑めの空調環境に合うように吹き出されている。
【００９２】
＜エリア別空調制御システム１が空気調和装置を制御する処理の流れ＞
エリア別空調制御システム１が空気調和装置を制御する処理の流れが、第１実施形態と異なる。すなわち、図８，図９に示すように、次の点で第１実施形態と異なる。なお、図８，図９では、図３に示す処理と同様の処理は同じ番号で示してある。
図８に示すステップＳ１１では、エリア位置が特定される。すなわち、受光器１５１〜１５５及び発光器１３１〜１３７により、上述のようにして、エリアの位置が特定される。
【００９３】
図８に示すステップＳ１２では、エリア位置が記憶される。すなわち、制御部１１２により、エリアの位置の情報がエリア位置記憶部１１４へ渡される。エリア位置記憶部１１４により、エリアそれぞれの位置が記憶される。
図８に示すステップＳ１３では、エリア情報が記憶される。すなわち、制御部１１２により、温熱感覚に関する情報がエリア情報入力部１１から受け取られる。制御部１１２により、温熱感覚に関する情報がエリア位置記憶部１１４へ渡される。エリア位置記憶部１１４により、図１５に示すように、温熱感覚に関する情報とエリアそれぞれの位置とが関連づけて記憶される。
【００９４】
＜エリア別空調制御システム１００に関する特徴＞
温熱感覚の情報に基づいた情報すなわち不満者率の情報に基づいて、エリアそれぞれに対して快適な空調環境が決められる点は、第１実施形態と同様である。また、温熱感覚の情報に基づいた情報すなわち不満者率の情報に基づいて、エネルギーの増加を抑えるように、優先順位が決められる点も、第１実施形態と同様である。したがって、このようなエリア別空調制御システム１００によってもエネルギーの増加を抑えながら空調環境が快適化される。
【００９５】
＜第２実施形態の変形例＞
（Ａ）
第２実施形態では、図７に示す制御部１１２が、発光器１３１〜１３７（図１３参照）の位置の近傍のブロック（図１０参照）を、その発光器１３１〜１３７（図１３参照）が示すエリアとして特定している。これに代えて、所定の発光器群に囲まれる部分をエリアとして特定することも考えられる。
【００９６】
例えば、図１８に示すように、発光器１３１ａ，１３１ｂ，１３１ｃ，１３１ｄで囲まれる部分を国内営業グループＧ１の使用するエリア、発光器１３２ａ，１３２ｂ，１３２ｃ，１３２ｄで囲まれる部分を海外営業グループＧ２の使用するエリア、発光器１３３ａ，１３３ｂ，１３３ｃ，１３３ｄで囲まれる部分を総務グループＧ３の使用するエリアと特定すれば、３つのエリアそれぞれに個別（エリア別）の空調環境を提供することもできるようになる。
【００９７】
また、図１８に示す区分けでは、国内営業グループＧ１が６個のブロックＢ１，Ｂ２，Ｂ３，Ｂ６，Ｂ７，Ｂ８を、海外営業グループＧ２が９個のブロックＢ１１，Ｂ１２，Ｂ１３，Ｂ１６，Ｂ１７，Ｂ１８，Ｂ２１，Ｂ２２，Ｂ２３を、総務グループＧ３が１０個のブロックＢ４，Ｂ５，Ｂ９，Ｂ１０，Ｂ１４，Ｂ１５，Ｂ１９，Ｂ２０，Ｂ２４，Ｂ２５を使用するレイアウトになっているが、これが図１９に示す区分けに変更されてブロックＢ４，Ｂ５が総務グループＧ３から国内営業グループＧ１に移った場合には、国内営業グループＧ１が使うエリアを特定するための２つの発光器１３１ｅ，１３１ｆを新たに用意して図１９に示すように各発光器を配置すればよい。ここでは、発光器１３１ａ，１３１ｂ，１３１ｃ，１３１ｄ，１３１ｅ，１３１ｆで囲まれる部分が国内営業グループＧ１の使用するエリアとして特定される。
【００９８】
なお、複数の発光器と１つのエリアとが対応している上記のような場合には、そのような対応情報を相関特定情報としてエリア情報入力部１１に入力すればよい。
（Ｂ）
第２実施形態では、図７に示す制御部１１２が、発光器１３１〜１３７（図１３参照）の位置の近傍の１つのブロック（図１０参照）を、その発光器１３１〜１３７（図１３参照）が示すエリアとして特定している。
【００９９】
これに代えて、図２０に示すように、発光器１３１〜１３８の位置がブロックの境界にある場合に１つの発光器と複数のブロックとを対応づけさせることも可能である。
図２０に示す例は、レンタルオフィスを想定している。このレンタルオフィスは、図１０に示すようにブロック割りされる部屋ＲＭに、図２０に示す８つの会議スペースＲ１〜Ｒ８を用意して、中央の廊下から各スペースＲ１〜Ｒ８に入ることができるように区切っている。Ｒ１〜Ｒ３およびＲ５〜Ｒ７は２つのブロックから成る小会議スペースであり、Ｒ４およびＲ８は４つのブロックから成る大会議スペースである。それぞれの会議スペースを特定するための発光器として、８つの発光器１３１〜１３８が用意されている。
【０１００】
発光器１３１は、ブロックＢ１とブロックＢ２との境界上に配置され、小会議スペースＲ１をブロックＢ１，Ｂ２から成るエリアとして制御部１１２に特定させる。
発光器１３２は、ブロックＢ６とブロックＢ７との境界上に配置され、小会議スペースＲ２をブロックＢ６，Ｂ７から成るエリアとして制御部１１２に特定させる。
発光器１３３は、ブロックＢ１１とブロックＢ１２との境界上に配置され、小会議スペースＲ３をブロックＢ１１，Ｂ１２から成るエリアとして制御部１１２に特定させる。
【０１０１】
発光器１３４は、ブロックＢ１６とブロックＢ１７とブロックＢ２１とブロックＢ２２との境界上に配置され、大会議スペースＲ４をブロックＢ１６，１７，２１，２２から成るエリアとして制御部１１２に特定させる。
発光器１３５は、ブロックＢ４とブロックＢ５との境界上に配置され、小会議スペースＲ５をブロックＢ４，Ｂ５から成るエリアとして制御部１１２に特定させる。
【０１０２】
発光器１３６は、ブロックＢ９とブロックＢ１０との境界上に配置され、小会議スペースＲ６をブロックＢ９，Ｂ１０から成るエリアとして制御部１１２に特定させる。
発光器１３７は、ブロックＢ１４とブロックＢ１５との境界上に配置され、小会議スペースＲ７をブロックＢ１４，Ｂ１５から成るエリアとして制御部１１２に特定させる。
発光器１３８は、ブロックＢ１９とブロックＢ２０とブロックＢ２４とブロックＢ２５との境界上に配置され、大会議スペースＲ８をブロックＢ１９，２０，２４，２５から成るエリアとして制御部１１２に特定させる。
【０１０３】
これにより、空調室内機７１〜７５が共通である部屋ＲＭ内で複数のスペースＲ１〜Ｒ８から成るレンタルオフィスを提供している事業者が、各スペース（エリア）に適した空調環境を提供することができる。
（Ｃ）
第２実施形態では、情報入力端末４３，４４などによりエリア情報を手入力させているが、これらの情報の少なくとも一部、例えば発光器１３１〜１３７を特定する発光器ＩＤ番号などを発光器１３１〜１３７から受光器１５１〜１５５に無線通信するように構成することも可能である。
【０１０４】
さらに、発光器１３１〜１３７がエリア情報の全てを受光器に対して送信できるように構成されていれば、情報入力端末４３，４４などが不要になり、情報入力端末と空調管理装置１０との配線作業も不要となる。
（Ｄ）
第２実施形態では、受光器１５１〜１５５を天井埋設型の空調室内機７１〜７５から吊り下げる構造にしているが、受光器１５１〜１５５を空調室内機７１〜７５とは別に天井や側壁上部に設置することも可能である。また、必ずしも天井や側壁に支持させる構造に限定されるものではなく、床面から受光器支持部材を延ばして高い位置で受光器を固定させることも考えられる。
【０１０５】
（Ｅ）
第２実施形態では、比較的シンプルな風速制御および風向制御について説明を行ったが、２つの空調室内機から吹き出された空気を所定のエリアの上部で衝突させてダウンフローを発生させたり、所定のエリア上部に１つの空調室内機から比較的冷たい空気を送るとともに、そのエリア下部に別の空調室内機から比較的暖かい空気を送ったりすることも考えられる。すなわち、空調空気の温度も加味して気流制御を行ってもよい。
【０１０６】
（Ｆ）
第２実施形態では、空調室内機７１〜７５から吹き出される空気の流れを制御することにより各エリアにおいて快適な空調環境を実現しているが、各空調室内機が角度の変わる輻射パネルあるいは複数の輻射パネルを備えている場合には、輻射パネルの角度や各輻射パネルの個別制御などによって各エリアにおける快適な空調環境の提供を行わせることも考えられる。また、各エリアに共通の空調室内機が複数のペルチェ素子から成るパネルを備えている場合にも、各エリアに対して個別に空調環境を提供することが可能である。
【０１０７】
（Ｇ）
エリア情報入力部１１には、温熱感覚の情報の代わりに、空調環境の要求する値が、通信線９０及び第１送受信部１９経由で入力されてもよい。
［第３実施形態］
本発明の第３実施形態に係るエリア別空調制御システム２００を図２１に示す。また、エリア別空調制御システム２００の各構成要素の構成図を図２２，図２３に示す。図２１，図２２，図２３において、図１，図２のエリア別空調制御システム１と同様の構成要素又は図６，図７に示すエリア別空調制御システム１００と同様の構成要素は同じ番号で示してある。図２１に示すエリア別空調制御システム２００は、主としてオフィスビルに設置される空調室外機群６０（６１，６２，・・・）および空調室内機群７０（７１，７２，・・・）から成る空気調和装置を制御するシステムであり、エリア別に異なる空調環境を提供することが可能となっている。
【０１０８】
このエリア別空調制御システム２００は、図２１，図２２，図２３に示すように、基本的な構造は第１実施形態又は第２実施形態と同様であるが、図２１に示す在席センサー群２２０（２２１，２２２，２２３，２２４，・・・）がさらに備えられている点で第１実施形態又は第２実施形態と異なる。すなわち、図２３に示す在席センサー２２３は、主として送受信部２２３ａと検知部２２３ｂとを備える。検知部２２３ｂは、図２５に示すように、個人Ｐ３が在席していることを検知する。検知部２２３ｂは、個人Ｐ３が在席している旨の情報を送受信部２２３ａに渡す。送受信部２２３ａは、個人Ｐ３が在席している旨の情報を通信線９０経由で空調管理装置２１０へ送信する。空調装置２１０の第１送受信部１９は、個人Ｐ３が在席している旨の情報を、通信線９０経由で受信し、エリア情報入力部１１へ渡す。エリア情報入力部１１は、個人Ｐ３が在席している旨の情報を、制御部２１２を経由してエリア位置記憶部２１４へ渡す。エリア位置記憶部２１４は、図２４に示すように、不在に関する情報とエリアそれぞれの位置とを関連づけて記憶する。したがって、図２５に示すように、個人Ｐ４が不在である場合、吹き出し口７１ａ（図１１参照）から個人Ｐ４のエリアへ向かう空気流Ｗ４を出さないようにすることが可能となる。また、吹き出し口７２ａ（図１１参照）から下向きの空気流Ｗ６，Ｗ７を出さないようにすることが可能となる。これにより、空気調和装置の消費するエネルギーの増加が抑えられる。
【０１０９】
温熱感覚の情報に基づいた情報すなわち不満者率の情報に基づいて、エリアそれぞれに対して快適な空調環境が決められる点は、第１実施形態又は第２実施形態と同様である。また、温熱感覚の情報に基づいた情報すなわち不満者率の情報に基づいて、エネルギーの増加を抑えるように、優先順位が決められる点も、第１実施形態又は第２実施形態と同様である。したがって、このようなエリア別空調制御システム２００によってもエネルギーの増加を抑えながら空調環境が快適化される。
【０１１０】
＜第３実施形態の変形例＞
（Ａ）
エリア別空調制御システム２００は、在席センサー群２２０（２２１，２２２，２２３，２２４，・・・）の代わりに、温熱感覚センサー群を備えていてもよい。すなわち、温熱感覚センサー群は、情報入力端末群４０（４１，４２，４３，４４，・・・）付近のエリアに属する個人の温熱感覚の情報を検知する。あるいは、エリア別空調制御システム２００は、在席センサー群２２０（２２１，２２２，２２３，２２４，・・・）と温熱感覚センサー群とを備えてもよい。この場合、情報入力端末群４０（４１，４２，４３，４４，・・・）付近のエリアに属する個人は、情報入力端末４１，４２，４３，４４，・・・に温熱感覚の情報を入力する必要が無くなる。
【０１１１】
［第４実施形態］
本発明の第４実施形態に係るエリア別空調制御システム３００を図２６に示す。また、エリア別空調制御システム３００の各構成要素の構成図を図２７，図２８に示す。図２６，図２７，図２８において、図１，図２のエリア別空調制御システム１と同様の構成要素又は図６，図７に示すエリア別空調制御システム１００と同様の構成要素は同じ番号で示してある。図２６に示すエリア別空調制御システム３００は、主としてオフィスビルに設置される空調室外機群３６０（６１，６２，・・・）および空調室内機群７０（７１，７２，・・・）から成る空気調和装置を制御するシステムであり、エリア別に異なる空調環境を提供することが可能となっている。
【０１１２】
このエリア別空調制御システム３００は、図２６，図２７，図２８に示すように、基本的な構造は第１実施形態又は第２実施形態と同様であるが、図２６に示す空調管理装置３１０及び空調室外機群３６０（３６１，３６２，・・・）の構成が第１実施形態又は第２実施形態と異なる。すなわち、図２７に示すように、空調管理装置３１０は、相関関係記憶部３１８をさらに備える。図２８に示すように、空調室外機３６１は、送受信部３１６ａと測定部３６１ｂとを備える。測定部３６１ｂは、空調室内機７３，７４，７５が提供する空調環境の風向、空調室内機７３，７４，７５が提供する空調環境の風量及び空調室内機７３，７４，７５が提供する空調環境の温度（以下、空調空気の風向等とする）を、通信線８０経由で測定する。測定部３６１ｂは、空調空気の風向等の情報を送受信部３６１ａへ渡す。送受信部３６１ａは、空調空気の風向等の情報を通信線８０経由で空調管理装置３１０へ送信する。空調管理装置３１０の第２送受信部１６は、空調空気の風向等の情報を通信線８０経由で受信する。第２送受信部１６は、制御部３１２を経由して、空調空気の風向等の情報を相関関係記憶部３１８へ渡す。相関関係記憶部３１８は、図２９〜図３１に示すような空調空気の風向等と不満者率との相関関係を記憶する。したがって、空調室内機が提供する空調空気の風向等と不満者率との相関関係を記憶しているので、不満者率が所定値（例えば、１０％）以下になるように制御することが容易になる。例えば、図２９に示すグラフ３１８ａに基づいて、不満者率がＣ１％以下になるように、制御部３１２は、風向がＤ１とＤ２の間になるように制御信号を生成する。図３０に示すグラフ３１８ｂに基づいて、不満者率がＣ１％以下になるように、制御部３１２は、風量がＶ１とＶ２の間になるように制御信号を生成する。図３１に示すグラフ３１８ｃに基づいて、不満者率がＣ１％以下になるように、制御部３１２は、温度がＴ１とＴ２の間になるように制御信号を生成する。
【０１１３】
温熱感覚の情報に基づいた情報すなわち不満者率の情報に基づいて、エリアそれぞれに対して快適な空調環境が決められる点は、第１実施形態又は第２実施形態と同様である。また、温熱感覚の情報に基づいた情報すなわち不満者率の情報に基づいて、エネルギーの増加を抑えるように、優先順位が決められる点も、第１実施形態又は第２実施形態と同様である。したがって、このようなエリア別空調制御システム３００によってもエネルギーの増加を抑えながら空調環境が快適化される。
【０１１４】
＜第４実施形態の変形例＞
（Ａ）図２８に示す測定部３６１ｂが測定するのは、「風向」、「風量」及び「温度」でなくてもよい。すなわち、「風向」、「風量」、「温度」、「湿度」及び「換気量」のいずれか２つ以上でもよい。また、相関関係記憶部３１８に記憶されているのは、「風向」、「風量」及び「温度」のいずれかと不満者率との相関関係でなくてもよい。すなわち、「風向」、「風量」、「温度」、「湿度」及び「換気量」のいずれか２つ以上と不満者率との相関関係であってもい。
【０１１５】
（Ｂ）相関関係記憶部３１８は、空調空気の風向等と不満者率との相関関係を、制御部３１２が決める優先順位毎に記憶していてもよい。あるいは、相関関係記憶部３１８は、空調空気の風向等と不満者率との相関関係を、エリア位置記憶部２１４が記憶している図２４に示すようなエリアそれぞれの位置と不在に関する情報との関連づけのパターン毎に記憶していてもよい。
【産業上の利用可能性】
【０１１６】
本発明にかかるエリア別空調制御システム、エリア別空調制御方法及びエリア別空調制御プログラムは、エネルギーの増加を抑えながら空調環境を快適化することができるという効果を有し、エリア別空調制御システム、エリア別空調制御方法及びエリア別空調制御プログラム等として有用である。
【図面の簡単な説明】
【０１１７】
【図１】本発明の第１実施形態によるエリア別空調制御システムの概念図。
【図２】本発明の第１実施形態によるエリア別空調制御システムの構成図。
【図３】エリア別空調制御システムが空気調和装置を制御する処理の流れを示すフローチャート。
【図４】本発明の第１実施形態による影響度合い記憶部の記憶内容の概念図。
【図５】本発明の第１実施形態による影響度合い記憶部の記憶内容の概念図。
【図６】本発明の第２実施形態によるエリア別空調制御システムの概念図。
【図７】本発明の第２実施形態によるエリア別空調制御システムの構成図。
【図８】エリア別空調制御システムが空気調和装置を制御する処理の流れを示すフローチャート。
【図９】エリア別空調制御システムが空気調和装置を制御する処理の流れを示すフローチャート。
【図１０】部屋のブロック割り（区画）を示す図。
【図１１】空調室内機の平面配置図。
【図１２】部屋のレイアウト図。
【図１３】受光器および発光器の平面配置図。
【図１４】部屋のレイアウト変更後のレイアウト図。
【図１５】本発明の第１実施形態によるエリア位置記憶部の記憶内容の概念図。
【図１６】気流制御の一例を示す図。
【図１７】空調室内機の縦断面図。
【図１８】変形例における部屋の部署別レイアウト図。
【図１９】変形例における部屋のレイアウト変更後の部署別レイアウト図。
【図２０】変形例におけるレンタルオフィスの会議スペースのレイアウト図。
【図２１】本発明の第３実施形態によるエリア別空調制御システムの概念図。
【図２２】本発明の第３実施形態による空調管理装置の構成図。
【図２３】本発明の第３実施形態による在席センサーの構成図。
【図２４】本発明の第３実施形態によるエリア位置記憶部の記憶内容の概念図。
【図２５】気流制御の一例を示す図。
【図２６】本発明の第４実施形態によるエリア別空調制御システムの概念図。
【図２７】本発明の第４実施形態による空調管理装置の構成図。
【図２８】本発明の第４実施形態による空調室外機の構成図。
【図２９】本発明の第４実施形態による相関関係記憶部の記憶内容の概念図。
【図３０】本発明の第４実施形態による相関関係記憶部の記憶内容の概念図。
【図３１】本発明の第４実施形態による相関関係記憶部の記憶内容の概念図。
【符号の説明】
【０１１８】
１，１００，２００，３００  エリア別空調制御システム
１０，１１０，２１０，３１０  空調管理装置
４０  情報入力端末群
６０，３６０  空調室外機群
７０  空調室内機群
８０  通信線
９０  通信線
１３０  発光器群
１５０  受光器群
２２０  在席センサー群
【図１】
2005134021.tif 000003
【図２】
2005134021.tif 000004
【図３】
2005134021.tif 000005
【図４】
2005134021.tif 000006
【図５】
2005134021.tif 000007
【図６】
2005134021.tif 000008
【図７】
2005134021.tif 000009
【図８】
2005134021.tif 000010
【図９】
2005134021.tif 000011
【図１０】
2005134021.tif 000012
【図１１】
2005134021.tif 000013
【図１２】
2005134021.tif 000014
【図１３】
2005134021.tif 000015
【図１４】
2005134021.tif 000016
【図１５】
2005134021.tif 000017
【図１６】
2005134021.tif 000018
【図１７】
2005134021.tif 000019
【図１８】
2005134021.tif 000020
【図１９】
2005134021.tif 000021
【図２０】
2005134021.tif 000022
【図２１】
2005134021.tif 000023
【図２２】
2005134021.tif 000024
【図２３】
2005134021.tif 000025
【図２４】
2005134021.tif 000026
【図２５】
2005134021.tif 000027
【図２６】
2005134021.tif 000028
【図２７】
2005134021.tif 000029
【図２８】
2005134021.tif 000030
【図２９】
2005134021.tif 000031
【図３０】
2005134021.tif 000032
【図３１】
2005134021.tif 000033